(57)【要約】【課題】  商品購入後も消費者に対して継続して情報を提供することができ、製造コストを抑制し、容易にリサイクルに供することができる鶏卵包装用容器を提供すること。【解決手段】  合成樹脂製シート素材を膨出成形させた鶏卵包装用容器であって、鶏卵の下半部を覆う複数の鶏卵収容凹部１１からなる容器本体１と、鶏卵の上半部を覆う複数の鶏卵保護凹部２１からなる蓋体２と、を備え、前記蓋体２の２個の前記鶏卵保護凹部２１に跨って平坦面３１を有する架橋構造３を形成し、該平坦面３１に消費者に対して提供する情報を容器と同時にかつ一体的に成形した構成とすることを特徴とする鶏卵包装用容器としたこと。【選択図】        図１
2005162309.tif 000002
【特許請求の範囲】
【請求項１】
合成樹脂製シート素材を膨出成形させた鶏卵包装用容器であって、鶏卵の下半部を覆う複数の鶏卵収容凹部(11)からなる容器本体(1)と、鶏卵の上半部を覆う複数の鶏卵保護凹部(21)からなる蓋体(2)とを備え、前記蓋体(2)の２個の前記鶏卵保護凹部(21)に跨って平坦面(31)を有する架橋構造(3)を形成し、該平坦面(31)に消費者に対して提供する情報を容器と同時にかつ一体的に成形した構成とすることを特徴とする鶏卵包装用容器。
【発明の詳細な説明】
【技術分野】
【０００１】
本発明は、合成樹脂製シート素材を膨出成形させた鶏卵包装用容器、より詳しくは、合成樹脂製シート素材を膨出成形させ、鶏卵の下半部を覆う複数の鶏卵収容凹部からなる容器本体と鶏卵の上半部を覆う複数の鶏卵保護凹部からなる蓋体とを備えた鶏卵包装用容器に関するものである。
【背景技術】
【０００２】
従来から容器本体と蓋体からなる鶏卵包装用容器は合成樹脂製シート素材から周知のブロー成形手段やバキューム成形手段を用いて成形される。その際、金型の形状を工夫することにより、様々な形状、構造を有する鶏卵包装用容器を成形することができる。
【０００３】
鶏卵包装用容器の一般的な形状としては、容器本体と蓋体とに鶏卵を収容するための曲面状の凹部を複数個備え、それに加えて大抵の場合は、それぞれの凹部にリブを形成しており、曲面状で細かい凹凸に富んだ複雑な外観形状を呈しているものが多い。このように鶏卵収容部の形状を曲面状の凹部としているのは、鶏卵が曲面状の構造であるからそれを密着収容する為であり、また、凹部にリブを形成しているのは、鶏卵は割れ易いことから曲面状の凹部を補強する為である。
【０００４】
ところで、商品には消費者に提供する情報を表示する必要があり、容器に収容されている商品であれば、容器に印刷されているか、あるいは、ラベルのシールが貼られている場合が多い。しかし、前述のような複雑な外観を呈する鶏卵包装用容器では、印刷したり、シールを貼付けしたりするのに適していないので、消費者に提供する情報を表示するには別の手段が必要である。
【０００５】
その手段の一つとして最もよく用いられているのは、特開２０００−３２７０６０号公報に記載されているように、紙のラベルに消費者に提供する情報を表示し、これを容器内に封入する方法である。鶏卵包装用容器はたいてい透明な合成樹脂で成形されているので、容器を通して中のラベルを視認して情報を得ることができる。
【０００６】
また、別の手段として、特開２０００−３２７０５９号公報には、容器に平坦面を形成してそこにラベルシールを貼り付ける方法がある。これはラベルシールを貼り付け易くし、かつ、貼り付けたラベルシールを視認し易くするために、容器の一部に平坦面を形成したものである。これら２つの文献に記載の発明はそれぞれ、容器本体と蓋体がそれぞれ複数個の凹部で形成されている鶏卵包装用容器において、消費者に情報を提供するための一手段で有り得る。
【特許文献１】特開２０００−３２７０６０
【特許文献２】特開２０００−３２７０５９
【発明の開示】
【発明が解決しようとする課題】
【０００７】
しかしながら、ラベルを容器内に封入する方法では、開封後にラベルがなくなってしまうことがあり、ラベルを容器に貼り付ける方法では、ラベルが剥がれてなくなってしまったり、消費者が剥がして捨ててしまったりすることがある。このような事態は、例えば容器が「リサイクル可」である事をラベルに記載している場合に、消費者にとって該容器がリサイクル可能である事を認識できない。あるいは、認識していてもラベルがなくなることにより認識がなくなってしまう虞がある。
【０００８】
また、容器の原材料である合成樹脂やその成形設備の他にラベルの原材料やラベル製造の設備が必要であり、また、容器を再利用する場合に、ラベルと容器を分離して、特にラベルを貼り付けた容器の場合にはラベルを容器から剥がして回収しなければならないので、製造コストの観点からも、再利用の観点からも不都合が多い。
【０００９】
そこで本発明は、容器本体と蓋体がそれぞれ複数個の凹部で形成されている鶏卵包装用容器を対象として、商品購入後も消費者に対して継続して情報を提供することができ、製造コストを抑制し、容易にリサイクルに供することができる鶏卵包装用容器を提供するものである。
【課題を解決するための手段】
【００１０】
この課題を解決するために講じた本発明にいう鶏卵包装用容器の構成を、実施例を示す図面に使用した共通の符号を用いて説明すると、本発明の鶏卵包装用容器は、合成樹脂製シート素材を膨出成形させた鶏卵包装用容器であって、鶏卵の下半部を覆う複数の鶏卵収容凹部１１からなる容器本体１と、鶏卵の上半部を覆う複数の鶏卵保護凹部２１からなる蓋体２とを備え、前記蓋体２の２個の前記鶏卵保護凹部２１に跨って平坦面３１を有する架橋構造３を形成し、該平坦面３１に消費者に対して提供する情報を容器と同時にかつ一体的に成形した構成とすることを特徴とする鶏卵包装用容器にかかるものである。
【発明の効果】
【００１１】
本発明の鶏卵包装用容器によれば、単一の合成樹脂シート素材を用い、消費者に対して提供する情報を容器と同時に一体的に成形するので、消費者は該鶏卵包装用容器の購入時から使用後に至るまで継続して容器に表示された情報を認識し続けることができ、また、ラベルが不要となるためラベル製造に伴う素材や製造設備が不要となり、製造コストを下げ生産性の上昇を図ることができる。また、容器をリサイクルに供する場合においてもラベルと容器を分離する必要がなく、容易にリサイクルに供して、環境対策の推進に寄与することができ、かつ、消費者に環境のことを考えた商品であることをアピールして商品価値を高めることができる。
【００１２】
また、消費者に対して提供する情報を表示する架橋構造を蓋体の２個の鶏卵保護凹部の間に形成する構成としているので、蓋体の２個の鶏卵保護凹部の形状の欠損は一部に止まり、蓋体の鶏卵保護凹部の欠損していない残りの部分と容器本体の鶏卵収容凹部と区画壁で十分に鶏卵の収容機能を果たすことができ、また、鶏卵保護凹部の曲面状で細かい凹凸に富んだ複雑な外観形状の意匠性も損なうことがない。
【発明を実施するための最良の形態】
【００１３】
本発明の鶏卵包装用容器を実施するにあたって、架橋構造３は隣り合う２個の蓋体の鶏卵保護凹部に跨っていれば、容器の長手方向または幅方向いずれの隣り合う２個の蓋体の保護凹部に形成してもよい。
【００１４】
また、容器を閉蓋状態で載置したときに架橋構造３の平坦面３１が容器の上面に位置するように形成、すなわち、閉蓋状態で載置したときに情報が容器の上面に表示されるように形成すれば、消費者が視認しやすい。
【実施例】
【００１５】
以下、本発明の実施例を図示例と共に説明する。図１および図２は本願発明の第１実施例の鶏卵包装用容器であって、図１は閉蓋状態の斜視図、図２は開蓋状態の斜視図を示す。
【００１６】
該第１実施例の鶏卵包装用容器は、合成樹脂製シート素材のうち、リサイクルが可能なポリエチレンテレフタレート製のシート素材を用いて、容器本体１と蓋体２を折り曲げ部４を介して一体的に成形したものである。成形手段としては、周知のブロー成形手段を用いている。
【００１７】
容器本体１には、鶏卵の下半部を収容する鶏卵収容凹部１１が５列２段に形成されている。蓋体２にも、容器本体１に収容した鶏卵の上半部を閉蓋状態で相対して収容できるように、鶏卵保護凹部２１が５列２段に形成されている。そして、図１に示したように、蓋体２の遊端側の長手方向の２個の鶏卵保護凹部２１に跨って上面を平坦面３１とした架橋構造３が形成され、該平坦面３１に容器と同時に且つ一体的に金型で成形された「リサイクル可」という文字が表示されている。これにより、消費者は容器の使用後に至るまで該容器が「リサイクル可」であることを認識し続けることができる。
【００１８】
図２に示したように、架橋構造３は、蓋体２の２個の鶏卵保護凹部２１の一部と、長手方向の鶏卵保護凹部２１を区画する区画壁２２を欠損させ、蓋体２の２個の鶏卵保護凹部２１の間に形成している。閉蓋状態にすると鶏卵は、容器本体１の鶏卵収容凹部１１と、長手方向の鶏卵収容凹部１１を区画する区画壁１２と、幅方向の鶏卵収容凹部１１を区画する区画壁１３、および、蓋体２の欠損されなかった残った部分によって覆われるので、架橋構造３の形成により、蓋体２に一部欠損部分が生じても、鶏卵収容機能としては十分である。また、欠損されるのは蓋体２の２個の鶏卵保護凹部２１の一部なので、曲面状で細かい凹凸に富んだ外観形状の意匠性を損なうことがない。
【００１９】
図３および図４はそれぞれ本願第２実施例の閉蓋状態および開蓋状態の斜視図であり、図３に示したように、上面を平坦面３１とした架橋構造３は、蓋体２の幅方向の２個の鶏卵保護凹部２１に跨って形成されており、該平坦面３１には、「再利用可」という文字が表示されている。架橋構造３は、図４に示したように、蓋体２の２個の鶏卵保護凹部２１の一部と、幅方向の鶏卵保護凹部２１を区画する区画壁２３とを欠損させ、蓋体２の２個の鶏卵保護凹部２１の間に形成している。その他は、第１実施例と同様の製法、構造の鶏卵包装用容器である。
【００２０】
以上本発明の代表例と思われる実施例について説明したが、本発明の鶏卵包装用容器は、上述の実施例にのみ限定されるものではなく、例えば、実施例に示した１０個入りの容器に限られず、６個入り、８個入り等であってもよく、その他本発明にいう前記の構成要件を備え、かつ本発明にいう目的を達成し、本発明にいう効果を有する範囲内において適宜改変して実施することができるものである。
【産業上の利用可能性】
【００２１】
本発明は、従来から周知の、鶏卵の下半部を覆う複数の鶏卵収容凹部からなる容器本体と鶏卵の上半部を覆う複数の鶏卵保護凹部からなる蓋体とからなる鶏卵包装用容器に適用され、製造過程から流通過程、使用後に至るまで様々な効果を発揮する発明である。
【図面の簡単な説明】
【００２２】
【図１】第１実施例の閉蓋状態の斜視図。
【図２】第１実施例の開蓋状態の斜視図。
【図３】第２実施例の閉蓋状態の斜視図。
【図４】第２実施例の開蓋状態の斜視図。
【符号の説明】
【００２３】
１  容器本体
１１  鶏卵収容凹部
１２  長手方向の鶏卵収容凹部を区画する区画壁
１３  幅方向の鶏卵収容凹部を区画する区画壁
２  蓋体
２１  鶏卵保護凹部
２２  長手方向の鶏卵保護凹部を区画する区画壁
２３  幅方向の鶏卵保護凹部を区画する区画壁
３  架橋構造
３１平坦面
４  折り曲げ部
【図１】
2005162309.tif 000003
【図２】
2005162309.tif 000004
【図３】
2005162309.tif 000005
【図４】
2005162309.tif 000006